(57)【特許請求の範囲】
【請求項１】
奥面と両側壁とを有し、前記両側壁の互いに対向する位置にそれぞれ貫通孔が設けられ、前記奥面に少なくとも１つの凹部又は凸部が設けられた取り付け部材と、
両端部が前記取り付け部材の前記貫通孔に嵌入されて支持された回動軸と、
前記回動軸が挿通された長穴を一端部に有し、前記回動軸により回動可能に支持されると共に前記長穴に沿って前記一端部の方向及びその反対方向にスライド可能な棒状の回動部材と、
一端が前記回動軸に連結され、他端が前記回動部材の途中に連結されて前記回動部材を前記回動軸の方向へ付勢する付勢部材とを備え、
前記回動部材の前記回動軸により支持される側の端面に前記少なくとも１つの凹部又は凸部に嵌合可能な少なくとも１つの凸部又は凹部が設けられていることを特徴とする戸当たり装置。
【請求項２】
前記回動部材が前記取り付け部材の前記奥面と平行な位置にあるときに前記少なくとも１つの凸部又は凹部に係合し前記回動部材の回動を規制する回動規制部が前記取り付け部材に設けられていることを特徴とする請求項１に記載の戸当たり装置。
【請求項３】
前記回動部材の他端の表面の少なくとも一部を覆う第１の緩衝部材をさらに備えていることを特徴とする請求項１又は２に記載の戸当たり装置。
【請求項４】
前記取り付け部材に嵌装され、該取り付け部材の引戸が当接する表面の少なくとも一部を覆う第２の緩衝部材をさらに備えていることを特徴とする請求項１から３のいずれか１項に記載の戸当たり装置。
【請求項５】
請求項１から４のいずれか１項に記載の戸当たり装置と、枠体内で開閉可能な引戸とを備えており、前記戸当たり装置は、前記枠体の側枠に、又は前記引戸の戸先若しくは戸尻の端面に取り付けられていることを特徴とする引戸装置。
【発明の詳細な説明】
【技術分野】
【０００１】
本発明は、引戸の開閉停止位置、即ち引き残しを制限かつ調整可能な戸当たり装置及びこの戸当たり装置を備えた引戸装置に関する。
【背景技術】
【０００２】
一般的に、引戸の戸先付近の両側に凹形の引手が取り付けられており、いずれか一方の引手に指を掛けてスライドさせることにより、引戸を開けることができるようになっている。このような引戸において、壁（又は他の引戸）の先端面と引手の凹部側面との間に指などを挟む事故を防止するために、引戸用ストッパ（戸当たり装置）が用いられる。引戸用ストッパは、引戸の枠体の側枠に設置され、戸尻がこの側枠に当接する手前で引戸の移動を抑止するように構成されている。引戸用ストッパにより引戸の引き残し量を大きくする場合、引戸表面に設けられた凹形の引手が壁の木口面まで入れなくなり、壁の先端面と引手の凹部側面との間に指等を挟む事故を防止することができる。
【０００３】
特許文献１に記載の引戸用ストッパは、引戸の先端面と枠体との間に指などを挟む事故を防止するためのものであり、引戸の戸先や戸尻に装着され、少なくとも一対の対向する面を有する基部と、その基部の一対の対向する面に形成された凹み内に両端が嵌め込まれて支持された１本の軸と、その軸により一方の端が支持されてなる棒状の回動部材とを有する。回動部材が、軸を中心として所定の角度回動するように支持されている。
【０００４】
また、回動部材が意図せずに回動することを防ぐために、回動部材に形成された係合孔に係合する金属製の係合片を基部の固定面に設けている。
【先行技術文献】
【特許文献】
【０００５】
【特許文献１】実用新案登録第３１２９３２０号公報
【発明の概要】
【発明が解決しようとする課題】
【０００６】
しかしながら、従来の一般的な引戸用ストッパは、回動部材が縦位置（起こした状態）にあるとき、又は横位置（倒した状態）にあるときには、この回動部材をその状態に保持する機能がない、もしくはあっても確実性に欠け、誤動作する可能性があった。そのため、引戸操作中に、回動部材が立ち上がって引き残しがなくなり、指挟みにつながる恐れがあった。
【０００７】
また、特許文献１に記載の引戸用ストッパは、回動部材が縦位置にあるときのみ回動部材をその状態に保持する機能があるが、横位置にあるときは保持機能がなく、誤動作の可能性があった。また、回動部材が基部に収納されるように構成されているため、縦位置における保持機能が強すぎると回動操作が困難になり、弱すぎると保持の確実性が欠けるという問題点があった。
【０００８】
従って、本発明の目的は、回動部材の縦位置及び横位置における姿勢を確実に保持することができ、かつ簡単に回動操作することができる戸当たり装置及びこの戸当たり装置を備えた引戸装置を提供することにある。
【課題を解決するための手段】
【０００９】
本発明によれば、戸当たり装置は、奥面と両側壁とを有し、両側壁の互いに対向する位置にそれぞれ貫通孔が設けられ、奥面に少なくとも１つの凹部又は凸部が設けられた取り付け部材と、両端部が取り付け部材の貫通孔に嵌入されて支持された回動軸と、回動軸が挿通された長穴を一端部に有し、回動軸により回動可能に支持されると共に長穴に沿ってこの一端部の方向及びその反対方向にスライド可能な棒状の回動部材と、一端が回動軸に連結され、他端が回動部材の途中に連結されて回動部材を回動軸の方向へ付勢する付勢部材とを備え、回動部材の回動軸により支持される側の端面に少なくとも１つの凹部又は凸部に嵌合可能な少なくとも１つの凸部又は凹部が設けられている。
【００１０】
取り付け部材の奥面に少なくとも１つの凹部又は凸部が設けられ、回動部材の回動軸により支持される側の端面に、この少なくとも１つの凹部又は凸部に嵌合可能な少なくとも１つの凸部又は凹部が設けられ、かつ付勢部材により回動部材を回動軸の方向へ付勢することにより、回動部材の横位置における姿勢を確実に保持することができ、かつ回動部材を引っ張ることで少なくとも１つの凸部又は凹部が少なくとも１つの凹部又は凸部から抜け出し回動可能な状態になり、簡単に回動操作することができる。なお、本明細書において、「横位置」とは、回動部材を取り付け部材の奥面と垂直となる方向に回動させた状態（引戸又は側枠に取り付けた場合に引戸の側枠表面と垂直となるように回動させた状態）、「縦位置」とは、回動部材を取り付け部材の奥面と平行となる方向に回動させた状態（引戸又は側枠に取り付けた場合に引戸の側枠表面と平行となるように回動させた状態）をそれぞれ意味している。
【００１１】
回動部材が取り付け部材の奥面と平行な位置にあるときに少なくとも１つの凸部又は凹部に係合し回動部材の回動を規制する回動規制部がこの取り付け部材に設けられていることが好ましい。これにより、回動部材の縦位置における姿勢を確実に保持することができ、かつ回動部材を引っ張ることで回動規制部による回動規制が解除され回動可能な状態になり、簡単に回動操作することができる。
【００１２】
回動部材の他端の表面の少なくとも一部を覆う第１の緩衝部材をさらに備えていることも好ましい。
【００１３】
取り付け部材に嵌装され、この取り付け部材の引戸が当接する表面の少なくとも一部を覆う第２の緩衝部材をさらに備えていることも好ましい。
【００１４】
本発明によれば、さらに、引戸装置は、上述した戸当たり装置と、枠体内で開閉可能な引戸とを備えており、この戸当たり装置は、枠体の側枠に、又は引戸の戸先若しくは戸尻の端面に取り付けられている。
【発明の効果】
【００１５】
本発明の戸当たり装置によれば、回動部材の横位置における姿勢を確実に保持することができ、かつ回動部材を引っ張ることで少なくとも１つの凸部又は凹部が少なくとも１つの凹部又は凸部から抜け出し回動可能な状態になり、簡単に回動操作することができる。また、回動規制部を設けることにより、回動部材の縦位置における姿勢も確実に保持することができ、かつ回動部材を引っ張ることで回動規制部による回動規制が解除され回動可能な状態になり、簡単に回動操作することができる。即ち、付勢バネに抗して引っ張る操作を加えることで、誤動作を防止することができ、指挟み等の危険性がなくなる。
【図面の簡単な説明】
【００１６】
【図１】本発明の一実施形態に係る戸当たり装置の全体の構成を概略的に示す斜視図である。
【図２】図１の戸当たり装置の構成を概略的に示す斜視図である。
【図３】図１の戸当たり装置の後方から見た構成を概略的に示す斜視図である。
【図４】図１の戸当たり装置の構成を概略的に示す分解斜視図である。
【図５】図１の戸当たり装置の構成を概略的に示す図３のＡ−Ａ線断面図である。
【図６】図１の戸当たり装置の動作状態を概略的に示す図３のＢ−Ｂ線断面図である。
【図７】取り付け部材の他の構成例を概略的に示す斜視図である。
【図８】取り付け部材及び回動部材の他の構成例を概略的に示す斜視図である。
【図９】図１の戸当たり装置を備えた引戸装置の構成例を概略的に示す斜視図である。
【発明を実施するための形態】
【００１７】
以下、本発明に係る戸当たり装置及び引戸装置の実施形態を、図を参照して説明する。
【００１８】
図１及び図２は本発明の実施形態に係る戸当たり装置１００の全体の構成を示している。図１は戸当たり装置１００の回動部材２０が横位置の状態にあり、図２は戸当たり装置１００の回動部材２０が縦位置の状態にある。図３は戸当たり装置１００の後方から見た状態を示している。図４は戸当たり装置１００の各部を分解した構成を示しており、図５は戸当たり装置１００の図３のＡ−Ａ線断面を示しており、図６は戸当たり装置１００の回動状態を示しており、同図において、戸当たり装置１００の図３のＢ−Ｂ線断面を示している。
【００１９】
図１〜図６に示すように、本実施形態に係る戸当たり装置１００は、取り付け部材１０と、回動部材２０と、回動軸３０と、第１の緩衝材４０と、第２の緩衝材５０と、係止部材６０と、付勢部材としての付勢バネ７０とを備えている。なお、以下は、戸当たり装置１００が枠体の側枠Ｗに取り付けられており、引戸Ｐがこの戸当たり装置１００に当接して引戸Ｐが停止する構成を説明しているが、戸当たり装置１００が引戸Ｐの戸先又は戸尻に取り付けられ、枠体の側枠Ｗがこの戸当たり装置１００に当接して引戸Ｐが停止する構成であっても良いことはもちろんである。
【００２０】
取り付け部材１０は、奥面１１と両側壁１２とを有する凹形状の部材からなり、両側壁１２の互いに対向する位置にそれぞれ貫通孔１３が設けられ、奥面１１に２つの凹部１４が設けられている。この２つの凹部１４の各々は、本実施形態では、その中心が、貫通孔１３の中心線を通りかつ奥面１１と垂直に交差する平面内に設けられた角状貫通穴である。また、取り付け部材１０の奥面１１には、回動部材２０が縦位置にあるときに凸部２１の側面に当接して回動部材２０の回動を規制する回動規制部１５が設けられている。この回動規制部１５は、より具体的には、奥面１１から突出する突出部から構成されている。さらに、取り付け部材１０の奥面１１には、この取り付け部材１０を引戸Ｐ又は戸枠に固着するための取り付けネジ８０が挿通する取り付け用孔１６が設けられている。
【００２１】
回動部材２０は、例えば、矩形断面を有する棒状材から形成され、その一端部に、回動軸３０が挿通された長穴２１を有している。この長穴２１は、回動部材２０の軸に沿った方向に伸長している（即ちその長さ方向を有している）。回動部材２０は、この長穴２１に挿通された回動軸３０により回動可能に支持されていると共に、この長穴２１に沿ってその軸に沿った方向、即ち一端部の方向及びその反対の他端部の方向にスライド可能に構成されている。また、回動部材２０の回動軸３０により支持される側の端面には、取り付け部材１０の奥面１１に設けられた２つの凹部１４にそれぞれ嵌合可能な２つの凸部２２が設けられている。さらに、回動部材２０の回動軸３０により支持される側の部分には、付勢バネ７０を挿入配置するための中空部２３が形成されている。回動部材２０の軸に沿った方向の途中（本実施形態ではその中央部）の両側面には、係止部材６０を装着するための装着孔２４が設けられている。
【００２２】
回動軸３０は、例えば、金属板を巻き加工して形成された中空の円筒状のロッドである。この回動軸３０が回動部材２０の長穴２１に挿通し、その両端が取り付け部材１０の貫通孔１３に嵌入されることにより、回動部材２０はこの回動軸３０を中心として回動可能に支持されると共に、長穴２１の長さ方向にスライド可能となる。なお、回動軸３０は、中実の円柱状のロッドであっても良い。
【００２３】
第１の緩衝材４０は、回動部材２０の先端部（引戸と当接する側）の表面の少なくとも一部（本実施形態では、先端面と４つの側面の一部分）を覆うゴム材等から形成された緩衝部材である。本実施形態において、第１の緩衝材４０は、回動部材２０の先端部を覆うように着脱可能に装着されている。なお、第１の緩衝材４０として使用可能な材料は、弾力のある材料であれば特に限定されない。
【００２４】
第２の緩衝材５０は、取り付け部材１０に着脱可能に嵌装され、引戸Ｐに当接する面の一部を覆うゴム材等から形成された緩衝部材である。この第２の緩衝材５０は、回動部材２０が縦位置にある際に、引戸Ｐの取り付け部材１０への衝突の衝撃を緩和するためのものである。なお、第２の緩衝材５０として使用可能な材料は、弾力のある材料であれば特に限定されない。
【００２５】
係止部材６０は、例えば、金属板を巻き加工して形成された中空の円筒状のロッドである。この係止部材６０の両端が回動部材２０の装着孔２４に嵌入され、その中央部に付勢バネ７０の一端が係止されるように構成されている。
【００２６】
付勢バネ７０は、一端が回動軸３０に連結され、他端が係止部材６０に連結されて回動部材２０を回動軸３０の方向へ付勢するように構成されている。なお、付勢部材としてゴム等の材料から形成されたものを用いても良い。
【００２７】
本実施形態の戸当たり装置１００は、引戸Ｐの側枠Ｗに取り付けられている。図６（ａ）に示すように、回動部材２０が横位置にあるとき、付勢バネ７０の付勢により回動部材２０の端面２０ａが取り付け部材１０の奥面１１に押し当たると共に、その端面２０ａに設けられた２つの凸部２２が、取り付け部材１０の２つの凹部１４に嵌入した状態となり、回動部材２０の回動が制限される。回動部材２０を横位置から縦位置に回動させる際は、回動部材２０を先端方向（矢印方向）へ引っ張って凸部２２を凹部１４から抜き出し、図６（ｂ）に示すように、この状態（凸部２２を凹部１４から抜き出した状態）で矢印方向へ回動させる。回動部材２０が縦位置まで回動した際に、図６（ｃ）に示すように、引っ張る力を解除すると、付勢バネ７０の付勢により回動部材２０の端面２０ａが取り付け部材１０の奥面１１から突出する突出部（回動規制部）１５の側面１５ａに押し当たると共に、その端面２０ａに設けられた２つの凸部２２の側面が突出部（回動規制部）１５の頂面１５ｂに押し当たり、回動部材２０の回動が制限される。逆に、回動部材２０を縦位置から横位置まで回動させる操作も同様に、回動部材２０を先端方向へ引っ張って回動規制を解除し、回動させる。回動部材２０が横位置になると、上述した通り、付勢バネ７０の付勢により回動部材２０の端面２０ａが取り付け部材１０の奥面１１に押し当たると共に、その端面２０ａに設けられた２つの凸部２２が、取り付け部材１０の２つの凹部１４に嵌入した状態となり、回動部材２０の回動が制限される。
【００２８】
以上説明したように、本実施形態の戸当たり装置１００は、取り付け部材１０と、回動部材２０と、回動軸３０と、第１の緩衝材４０と、第２の緩衝材５０と、係止部材６０と、付勢バネ７０とを備え、回動部材２０の回動軸３０により支持される側の端面には２つの凸部２２が設けられ、取り付け部材１０の奥面１１には回動部材２０が横位置にあるときに２つの凸部２２がそれぞれ嵌入する２つの凹部１４が設けられると共に、回動部材２０が縦位置にあるとき２つの凸部２２の側面に押し当たり回動部材２０の回動を規制する回動規制部１５が設けられている。
【００２９】
これにより、回動部材２０の横位置及び縦位置における姿勢を確実に保持することができ、かつ横位置にあるとき、回動部材２０を引っ張ることで凸部２２が嵌合凹部１４から抜け出し回動可能な状態になり、縦位置にあるとき、回動部材２０を引っ張ることで回動規制部１５による回動規制が解除され回動可能な状態になり、簡単に回動操作することができる。即ち、引っ張る操作を加えることで、誤動作を防止することができ、指挟み等の危険性がなくなる。
【００３０】
また、回動部材２０の先端の表面の一部を覆う第１の緩衝部材４０が設けられていることで、回動部材２０の先端により引戸を傷つけることを防止することができる。
【００３１】
また、取り付け部材１０に第２の緩衝部材５０が嵌装され、引戸Ｐに当接する面の一部を覆うようにすることで、取り付け部材１０により引戸Ｐを傷つけることを防止することができる。
【００３２】
なお、上述した実施形態の戸当たり装置１００において、取り付け部材１０に２つの凹部１４が設けられ、回動部材２０に２つの凸部２２が設けられている例を説明したが、本発明はこれに限定されるものではない。例えば、取り付け部材１０に１つの凹部１４を設け、回動部材２０に１つの凸部２２を設けるように構成しても良い。また、３つ以上の凹部１４及び３つ以上の凸部２２を設けても良い。
【００３３】
また、上述した実施形態の戸当たり装置１００において、係止部材６０には中空の円筒状のロッドを用いた例を説明したが、本発明はこれに限定されるものではない。例えば、回動部材２０の中空部２３に回動部材２０と一体に形成された突起部を用いても良い。なお、係止部材６０の代わりに、付勢バネ７０の一端を成形時に予め回動部材２０に埋め込み、又は接着剤を用いて回動部材２０に固定するようにしても良い。
【００３４】
また、上述した実施形態の戸当たり装置１００において、凹部１４は、角状の貫通穴である例を説明したが、本発明はこれに限定されるものではない。例えば、丸状の貫通穴、又は非貫通の角状又は丸状の凹部であっても良い。
【００３５】
また、上述した実施形態の戸当たり装置１００において、取り付け部材１０の回動規制部１５は、奥面１１から突出する突出部から構成されている例を説明したが、本発明はこれに限定されるものではない。例えば、図７に示すように、取り付け部材１０Ａに回動部材２０が縦位置になる際に回動部材２０の凸部２２が嵌入可能な凹部１５Ａを形成して構成するようにしても良い。
【００３６】
また、上述した実施形態の戸当たり装置１００において、取り付け部材１０の奥面に凹部１４が設けられ、回動部材２０に凸部２２が設けられている例を説明したが、本発明はこれに限定されるものではない。例えば、図８に示すように、取り付け部材１０Ｂの奥面に凸部１４Ｂを設け、回動部材２０Ｂに凹部２２Ｂを設けても良い。
【００３７】
さらに、上述した実施形態の戸当たり装置１００において、回動部材２０は、矩形断面を有する棒状材から形成された例を説明したが、本発明はこれに限定されるものではない。円形断面を有する棒状材であっても良い。
【００３８】
本発明の引戸装置は、例えば、上枠又は下枠に固着したレールに沿って開閉可能な引戸Ｐと、戸尻側（又は戸先側）の側枠Ｗに設けられて引戸Ｐの停止位置を調整可能な上述した実施形態に係る戸当たり装置１００とを備えて構成される。前述したように、戸当たり装置１００が引戸Ｐの戸先又は戸尻に取り付けられ、側枠Ｗがこの戸当たり装置１００に当接して引戸Ｐの停止位置を調整可能としても良い。
【００３９】
図９は本発明に係る戸当たり装置１００を備えた引戸装置２００の構成例を示しており、同図（ａ）は引き残し量を大きくした状態（回動部材２０を横位置に回動させた状態）を示しており、同図（ｂ）は引き残し量を小さくした状態（回動部材２０を縦位置に回動させた状態）を示している。図９中のＤ及びｄは側枠Ｗに対する引き残し量である。
【００４０】
図９（ａ）に示すように、引戸Ｐを開ける際に、戸当たり装置１００により引手が壁の木口面まで入れなくなり、壁（又は他の引戸）の先端面と引手の凹部側面との間に指等を挟む事故を防止することができる。一方、図９（ｂ）に示すように、引戸Ｐの開口部を大きく取りたい場合、回動部材２０を縦位置に回動させた状態にすることで、引き残し量を小さくすることができる。また、引戸装置２００において、本発明に係る戸当たり装置１００を用いることで、回動部材の誤動作を防止することができる。
【００４１】
本発明は、上記の実施形態に限定されるものでなく、特許請求の範囲に記載された発明の要旨を逸脱しない範囲内での種々、設計変更した形態を技術的範囲に含むものである。
【符号の説明】
【００４２】
１０、１０Ａ、１０Ｂ  取り付け部材
１１、１１Ｂ  奥面
１２、１２Ｂ  側壁
１３、１３Ｂ  貫通孔
１４、１５Ａ  凹部
１４Ｂ  凸部
１５、１５Ｂ  回動規制部
１５ａ  側面
１５ｂ  頂面
１６  取り付け用孔
２０、２０Ｂ  回動部材
２０ａ  端面
２１、２１Ｂ  長穴
２２  凸部
２２Ｂ  凹部
２３  中空部
２４  装着孔
３０  回動軸
４０  第１の緩衝材
５０  第２の緩衝材
６０  係止部材
７０  付勢バネ
８０  取り付けネジ
１００  戸当たり装置
２００  引戸装置
ｄ、Ｄ  引き残し量
Ｐ  引戸
Ｗ  側枠
【図１】
0006622107.tif 000002
【図２】
0006622107.tif 000003
【図３】
0006622107.tif 000004
【図４】
0006622107.tif 000005
【図５】
0006622107.tif 000006
【図６】
0006622107.tif 000007
【図７】
0006622107.tif 000008
【図８】
0006622107.tif 000009
【図９】
0006622107.tif 000010